(57)【要約】      （修正有）【課題】建物の開口部に装着されるスクリーンに対する防火試験から得られた課題を解決するスクリーンを提供する。【解決手段】防火用スクリーンは、建物の開口部２の内周面２０に取付けられる左右のガイド枠３、４及び下枠とそれら左右ガイド枠３、４に沿って巻取り及び巻戻しされるスクリーン１０とこのスクリーン１０を収容し、且つ内周面２０に取付けられる収容ボックスを備えている。左右ガイド枠３、４の剛性を高めるために、それらの内部にガイド枠補強材３１、４１が、それらの開口端にガイド枠塞ぎ材が設けられ、左右ガイド枠３、４に設けられたレールアタッチ３２、４２の剛性を高めるためにレールアタッチ補強材３３、４３が設けられている。下枠の剛性を高めるために下枠補強材が設けられ、収容ボックスの剛性を高めるために、収容ボックス補強材が設けられている。【選択図】図３
2020037861.tif 000002
【特許請求の範囲】
【請求項１】
建物の開口部の内周面に取付けられる左右のガイド枠及び下枠と、前記左右ガイド枠に沿って巻取り及び巻戻しされるスクリーンと、このスクリーンを収容し、且つ、前記内周面に取付けられる収容ボックスを備える防火用スクリーンにおいて、
前記左右ガイド枠のそれぞれの長手方向に沿い、且つ、前記左右ガイド枠をそれらの内部から支えるガイド枠補強材がそれぞれ設けられていることを特徴とする防火用スクリーン。
【請求項２】
前記左右ガイド枠にそれぞれ取付られるレールアタッチと前記左右ガイド枠との間に、レールアタッチ補強材がそれぞれ設けられていることを特徴とする請求項１に記載の防火用スクリーン。
【請求項３】
前記左右ガイド枠の開口端をそれぞれ塞ぐガイド枠塞ぎ材が設けられていることを特徴とする請求項１に記載の防火用スクリーン。
【請求項４】
前記下枠をその内部から支える下枠補強材が設けられていることを特徴とする請求項１乃至３の何れかに記載の防火用スクリーン。
【請求項５】
前記収容ボックスを前記内周面に取付けるベース材からなる収容ボックス補強材が設けられていることを特徴とする請求項１乃至４の何れかに記載の防火用スクリーン。
【請求項６】
前記左右ガイド枠及び前記下枠の少なくとも屋内外の何れか一方の側に、加熱発泡材を設けたことを特徴とする請求項１乃至５の何れかに記載の防火用スクリーン。
【請求項７】
前記収容ボックスに加熱発泡材を設けたことを特徴とする請求項１乃至６の何れかに記載の防火用スクリーン。
【発明の詳細な説明】
【技術分野】
【０００１】
本願発明は、建物の開口部に装着されて該開口部を開閉する開閉装置に関し、特に防火設備として使用できる防火用スクリーンに関する。
【背景技術】
【０００２】
万が一の火災の際に、発生する恐れがある人的被害等を防ぐため、建物の開口部に防火設備を設置することが、要請されている。
この要請のもと、建物の開口部を防火仕様に改修する方法として、外付の防火シャッターを付加する方法がある。
しかし、建物の開口部の外側に庇があるときは設置できず、収納ボックスが大きく設置できず、また開口部が出窓のように外に飛び出す形状の場合には設置できないことがある。
【０００３】
また、防火シャッターは一般に金属製スラットから構成されているが、防火シャッターの建物開口部の内側への設置は、意匠的にも受け入れ難いし、梁等の内部の制約も多い。
一方、特許文献１には、建物の屋内側（ガラス窓の室内側）に、シャッターボックスとシャッターレールとシャッターの受け台からなるシャッター枠を設け、金属製スラットの代わりに透明フィルムによるスラットを設けたシャッターが開示されている。
このシャッターは、シャッターボックス、シャッターレール及びシャッター受け台が室内面から露出していて、防火対策の面で、そのまま防火用スクリーンに応用することはできない。
【先行技術文献】
【特許文献】
【０００４】
【特許文献１】特開２０００−１７０４５３号公報
【発明の概要】
【発明が解決しようとする課題】
【０００５】
出願人は、かかる従来技術の課題を克服するため、建物開口部への設置に相応しい防火用スクリーンの開発を進めると共に、その防耐火性能の有無を試験する防火試験から、次のような課題を得ることができた。
即ち、火災時に、防火用スクリーンの左右ガイド枠と下枠が熱延びを引き起こし、その際、部材長手方向において、固定ネジ間に反りが発生するとともに、左右ガイド枠及び下枠と建物開口部の間に隙間が発生して、火炎が屋内外に貫通する虞があることである。
本願発明は、上記課題を解決すると共に、その成果としての防火用スクリーンを提供することを目的とする。
【課題を解決するための手段】
【０００６】
上記課題を解決するため、建物の開口部の内周面に取付けられる左右のガイド枠及び下枠と、前記左右ガイド枠に沿って巻取り及び巻戻しされるスクリーンと、このスクリーンを収容し、且つ、前記内周面に取付けられる収容ボックスを備える防火用スクリーンにおいて、前記左右ガイド枠のそれぞれの長手方向に沿って、且つ、前記左右ガイド枠をそれらの内部から支えるガイド枠補強材をそれぞれ設けることを特徴とする防火用スクリーンとした（請求項１の発明）。
【０００７】
即ち、防火用スクリーンにおいて、外力により物体に生じるおそれのある曲げ、ねじれ等の変形に同物体が耐えうる能力（以下、剛性）を高めるために、前記左右ガイド枠の各内部にガイド枠補強材を備えることとした。
前記左右ガイド枠の剛性は、それらの内部から支えるガイド枠補強材により高まり、前記内周面とこれに当接する前記左右ガイド枠間からの火災時の火炎の貫通を防止できる。
また、前記左右ガイド枠に前記スクリーンの抜け出し防止のためにそれぞれ取付けられたレールアタッチが火炎により脆くなり、前記スクリーンが前記左右ガイド枠からが抜け出してしまう恐れがあるが、前記ガイド枠補強材により、前記左右ガイド枠及びレールアタッチの剛性が高まり、スクリーンの抜け出しが防止される。
【０００８】
前記防火用スクリーンにおいて、前記左右ガイド枠にそれぞれ取付られるレールアタッチと前記左右ガイド枠との間に、レールアタッチ補強材がそれぞれ設けられていることを特徴とする防火用スクリーンとする（請求項２に記載の発明）。
前記レールアタッチ補強材を設けたことで、左右ガイド枠に取付られたレールアタッチの剛性を高めることができ、スクリーンの抜け出しが防止されると共に、火災によりレールアタッチが脆くなっても、前記レールアタッチ補強材によりスクリーンの抜け出しが防止される。
【０００９】
前記防火用スクリーンにおいて、前記左右ガイド枠の開口端を塞ぐガイド枠塞ぎ材を設けたことを特徴とする（請求項３に記載の発明）。
前記ガイド枠塞ぎ材により、前記左右ガイド枠の下端の開口端を塞ぐことができ、前記左右ガイド枠の剛性を高めると共に、ガイド枠内部への火炎の侵入を防止することができる。
【００１０】
前記防火用スクリーンにおいて、前記下枠をその内部から支える下枠補強材が設けられていることを特徴とする（請求項４に記載の発明）。
前記下枠補強材を設けたことにより、前記下枠の剛性を高めることができる。
【００１１】
前記防火用スクリーンにおいて、前記収容ボックスを前記内周面に取付けるベース材からなる収容ボックス補強材を設けたことを特徴とする（請求項５に記載の発明）。
前記収容ボックス補強材を設けたことにより、前記収容ボックスの剛性を高めることができる。
【００１２】
前記左右ガイド枠及び前記下枠の少なくとも屋内外の何れか一方の側に、加熱発泡材を設けたことを特徴とする防火用スクリーンとした（請求項６に記載の発明）。
【００１３】
上記発明において、前記収容ボックスに加熱発泡材を設けたことを特徴とする防火用スクリーンとした（請求項７に記載の発明）。
【発明の効果】
【００１４】
前記ガイド枠補強材により左右ガイド枠の剛性を、前記レールアタッチ補強材により左右ガイド枠に取付られたレールアタッチの剛性を、前記ガイド枠塞ぎ材により前記左右ガイド枠の剛性を、前記下枠補強材により下枠の剛性を、それぞれ高めることができる。また、前記収容ボックス補強材により、前記収容ボックスの剛性を高めることができる。
これらに加えて、火災の際に、加熱発泡材が膨張して、前記内周面と前記左右ガイド枠、前記下枠及び前記収容ボックスの間に発生する恐れがある隙間を塞ぎ、火炎の貫通を防止することができる。
よって火災により、防火用スクリーンの各部位において火炎が屋内外に貫通する虞を排除することができる。
【図面の簡単な説明】
【００１５】
【図１】本願発明に係る防火用スクリーンの中央縦断面図、
【図２】同スクリーンの要部に係る横断面図、
【図３】図２に示した横断面図の拡大図、
【図４】（Ａ）及び（Ｂ）  同スクリーンのガイド枠塞ぎ材の平面図及び正面図である。
【発明を実施するための形態】
【００１６】
本発明に係る防火用スクリーン１は、図１及び図２のように、建物の開口部２の内周面２０に取付けられる左右のガイド枠３、４及び下枠５と、それら左右ガイド枠３、４に沿って巻取り及び巻戻しされるスクリーン１０と、このスクリーン１０を収容し、且つ、前記内周面２０に取付けられる収容ボックス６を備えている。
この防火用スクリーン１において、前記左右ガイド枠３、４の剛性を高めるために、図２に図示したように左右のガイド枠３、４の内部３０、４０にガイド枠補強材３１、４１を備えている。また、前記左右ガイド枠３、４に取付けられたレールアタッチ３２、４２の剛性を高めるため、レールアタッチ補強材３３、４３が設けられている。さらに、前記左右ガイド枠３、４の剛性を高めると共に、左右ガイド枠３、４の内部３０、４０への火炎の侵入を防ぐため、それらの下端の開口端３４、４４にガイド枠塞ぎ材３５、４５が設けられている。
前記下枠５においては、その剛性を高めるために、図１のように下枠補強材５０が設けられている。前記収容ボックス６においては、その剛性を高めるために、ベース材６１としての収容ボックス補強材が設けられている。
【００１７】
前記防火用スクリーン１は、建物の開口部２としての建物の外壁に設けられた窓、出入口等であって、内周面２０としての前記開口部２の内側を形成する周面に取付けられものである。
この実施形態では、開口部２には額縁２１が取付けられ、それらの額縁２１により内周面２０が形成されている。
前記スクリーン１が木造納まりの場合においても、また同ＲＣ造納まりの場合においても、これらの額縁２１を設けることとし、開口部２に額縁２１を回さない場合には、開口部２に直接防火用スクリーン１を取付けてもよい。
【００１８】
前記左ガイド枠３、前記右ガイド枠４及びこれらに関連する部材は、略同一に構成されているので、前記左ガイド枠３の構成例について説明し、前記右ガイド枠４の詳細な構成例の説明を省略する。なお、図面においは前記左ガイド枠３の構成例の符号とその構成例と同一の機能を発揮する前記右ガイド枠４の構成例の符号は、併記することとする。
【００１９】
前記左ガイド枠３は、図１に図示されているように長尺状のもので、図２及び図３に図示されているように、その断面形状が略コ字状に形成されている。
具体的には、前記左ガイド枠３は、図３のように前記内周面２０に当接する背面３６と、前記開口部２の屋外側に臨む外側面３７と、前記開口部２の屋内側に臨む内側面３８と、前記各ガイド枠３、４が対向する対向面３９、３９を備えている。
前記各面３６〜３９の内面により形成される内部３０の空間Ｓにガイド部材７が収容されていると共に、各対向面３９、３９の間に開口３００が形成される。
【００２０】
前記背面３６は、屋外側の端部と屋内側の端部に、その長手方向に沿ってそれぞれ溝部３６０、３６１を備えている。
前記各対向面３９、３９には、前記内外側面３７、３８の端部から略直角に折り曲げられた各端面にそれぞれ前記レールアタッチ３２、３２が取り付けられている。
これらのレールアタッチ３２、３２は、前記各対向面３９、３９の各端面から折曲げられて、略Ｌ字状に構成されていて、前記各対向面３９、３９に着脱自在に取付けられている。
よって、レールアタッチ３２、３２の着脱により、ガイド部材７（後述）等の交換等を行うメンテナンスの便宜が図られ、またレールアタッチ３２、３２が前記ガイド部材７に当接可能になっており、その抜け出し防止手段となっている。
【００２１】
前記開口３００には、スクリーン１０の先端辺１１（図１参照）を取付けるボトム枠１２の端部１３が入込み、前記レールアタッチ３２がスクリーン１０の巻取り及び巻戻しの際に、上下にスライドするボトム枠１２をガイドするようになっている。
【００２２】
前記ガイド枠補強材３１は、前記左ガイド枠３の長手方向の全長に亘るもので、図３に図示されているように、その短手方向の断面形状が前記左ガイド枠３と同様に略コ字状に形成されている。
即ち、前記ガイド枠補強材３１は、前記左ガイド枠３の背面３６に当接する当接面３１０と、前記外側面３７に当接する当接面３１１と、前記内側面３８に当接する当接面３１２と、前記各対向面３９、３９に当接する当接面３１３、３１３と、前記溝部３６０、３６１を逃げると共に、前記背面３６と前記外側面３７及び前記背面３６と前記内側面３８を支える支持面３１４、３１４からなる。なお、各当接面３１０〜３１３と左ガイド枠３の各面３６〜３９の内面との間に、ガイド枠補強材３１が挿入可能な若干の隙間を設けてもよい。
【００２３】
前記左ガイド枠３は、例えばアルミニウムで成形され、前記ガイド枠補強材３１は、例えばスチールで成形されている（以下の補強材も同様）と共に、図３等に図示しているように前記額縁２１に共締めされている。
【００２４】
前記ガイド枠補強材３１の各当接面３１０〜３１３及び前記支持面３１４、３１４が前記左ガイド枠３をその内部３０から支えることにより、火災を原因とする外力による変形に耐える剛性を前記左ガイド枠３（特に背面３６）に付与することができ、前記左ガイド枠３の屋内外からの火炎の貫通を防ぐことができる。
また、前記レールアタッチ３２、３２は、前記対向面３９、３９を介して前記ガイド枠補強材３１の当接面３１３、３１３に固定されているので、高熱で前記レールアタッチ３２、３２が脆くなっても、前記レールアタッチ３２、３２が外れにくくなっており、前記ガイド部材７の抜け出しを防ぐことができる。
【００２５】
前記レールアタッチ補強材３３、３３は、図３のように前記レールアタッチ３２、３２の形状に沿うように略Ｌ字状に形成されており、前記対向面３９、３９と、前記レールアタッチ３２、３２間に挟まれて、共締め固定されている。
このレールアタッチ補強材３３、３３は、前記左ガイド枠３の長手方向の全長に亘るもので、前記ガイド枠補強材３１よりも、その厚さが薄く形成されている。
【００２６】
前記レールアタッチ補強材３３、３３は、前記対向面３９、３９と、前記レールアタッチ３２、３２間に配置されることにより、左ガイド枠３との固定力を強化して、前記レールアタッチ３２、３２の剛性を高めることができる。
さらに、火災によりレールアタッチ３２、３２が前記ガイド部材７の抜止めの機能を喪失しても（例えば、レールアタッチ３２の溶融）、前記レールアタッチ補強材３３、３３が火炎の屋内外の貫通を防ぐと共に、ガイド部材７の抜け出しを防止することができる。
【００２７】
前記ガイド枠塞ぎ材３５は、図４のように前記左ガイド枠３の開口端３４を構成する前記左ガイド枠３及びレールアタッチ３２の輪郭に沿った輪郭辺３４０を備える平面片３４１と、前記ガイド枠補強材３１を支持、固定する支持固定片３４２を備えている。
かかる前記ガイド枠塞ぎ材３５は、前記輪郭辺３４０が前記開口端３４を塞ぐように、支持固定片３４２により前記ガイド枠補強材３１に固定される。よって、前記ガイド枠塞ぎ材３５により、前記左ガイド枠３の剛性が高まると共に、前記額縁２１から前記左ガイド枠３への燃え移りを防ぐことができる。
【００２８】
屋外側の前記溝部３６０には、その両端に亘って前記加熱発泡材８が収容されると共に、接着剤、両面テープ等を介して前記溝部３６０に固定されている。
前記加熱発泡材８は、加熱されることにより膨張して、耐火・防火性能を発揮するものである。
よって、火災時に前記左ガイド枠３と内周面２０との間に、たとえ隙間が発生した場合であっても、その隙間を前記加熱発泡材８が閉塞することで、火炎が屋内外に貫通することを防ぐことができる。
前記加熱発泡材８として、例えば積水化学工業株式会社のフィブロック（登録商標）を使用することができる。
【００２９】
前記左ガイド枠３の背面３６が前記内周面２０に固定され、前記溝部３６０が前記内周面２０に塞がれることにより、前記加熱発泡材８は、内周面２０と形材の間に納められている。
よって、接着剤等の経年劣化や、加熱発泡材８の膨張開始（約２００℃）前に接着剤が溶融する（約１２０℃）場合に、加熱発泡材８が前記溝部３６０から剥離しても、その取付位置が保持されるようになっていて、前記加熱発泡材８の機能が発揮されるようになっている。
【００３０】
また、図３のように、前記ガイド枠補強材３１、４１の内側にも加熱発泡材８０を取付けている。
この加熱発泡材８０は、火災の際に前記ガイド枠塞ぎ材３５と共に前記左ガイド枠３の開口端３４からの火炎の出現を抑えるもので、このため、加熱発泡材８０は、前記左ガイド枠３の長手方向全長に設けられているものではなく、その開口端３４から上方に（例えば、約１．５センチメートル）設けられている。
【００３１】
前記下枠５は、図１のように前記左右ガイド枠３、４の各下端間で固定される長尺状のもので、その断面形状が略Ｃ字状に形成されている。
前記下枠５の背面５１が前記内周面２０との取付面になっており、その背面５１に対向する開口５２は、前記ボトム枠１２の下端が入り込む凹部５３を備えている。
【００３２】
前記下枠補強材５０は、前記下枠５の背面５１に当接すると共に、凹部５３に沿って形成され、下枠５の全長に亘るもので、前記開口５２から下枠５の内部に配置され、その内部から前記下枠５を支える。よって下枠５の剛性を高め、火災の際の火炎が前記下枠５に回ってきた場合にも、火炎の屋内外の貫通を防ぐことができるようになっている。
【００３３】
前記背面５１の屋外側及び屋内側の各端部には、その長尺方向に沿って、それぞれ溝部５４、５５が形成され、屋外側の前記溝部５４には、その両端に亘り、前記加熱発泡材８が収容されている。よって火災時に下枠５と内周面２０との間に、たとえ隙間が発生した場合であっても、その隙間を閉塞させることができ、火炎が屋内外に貫通することを防ぐことができる。
【００３４】
また、前記下枠５の背面５１が前記内周面２０に固定され、前記溝部５４が前記内周面２０に塞がれることにより、接着剤等の経年劣化や、加熱発泡材８の膨張開始（約２００℃）前に接着剤が溶融する（約１２０℃）場合に、加熱発泡材８が前記溝部５４から剥離されても、前記加熱発泡材８は、その取付位置が保持されるようになっていて、前記加熱発泡材８がその機能を発揮できるようになっている。
【００３５】
この実施形態においては、前記加熱発泡材８は、左右ガイド枠３、４及び下枠５の屋外側の前記溝部３６０、４６０、５４に配置されているが、左右ガイド枠３、４及び下枠５の屋内側の前記溝部３６１、４６１、５５に配置したり、屋内外の前記各溝部３６０、３６１、４６０、４６１、５４、５５に配置してもよい。
前記加熱発泡材８は、左右ガイド枠３、４及び前記下枠５の少なくとも屋内外の何れか一方の側に設けられればよいので、前記加熱発泡材８を、前記背面３６、４６、５１の中央に配置してもよく、背面３６、４６、５１の領域内であればその配置位置及び配置範囲に限定されることはない。
【００３６】
この実施形態では、前記加熱発泡材８が配置されていない左右ガイド枠３、４及び下枠５の各溝部３６１、４６１、５５には、弾性材等の隙間隠材９が配置され、前記内周面２０と前記背面３６、４６、５１との間に隙間が発生した場合に、屋外側からの光漏れを防ぐことができる。
【００３７】
前記収容ボックス６は、図１のように本体６０と、これを取付ける収容ボックス補強材としてのベース材６１からなり、前記本体６０には、前記スクリーン１０の基端辺を取付けたドラム６２が収容され、そのドラム６２はスクリーン１０を巻取り、巻戻すと共に、その途中において、一時的に、任意の位置で停止できる機構を備えている。
【００３８】
前記ベース材６１は、その材質をスチールとすると共に、肉厚に構成されており、前記収容ボックス６の剛性を強めるようになっている。
【００３９】
火災時に、ボックス６と内周面２０の間にも隙間ができる場合を考慮して、前記本体６０が内周面２０に接する部分に、溝部６３が形成され、その溝部６３に前記加熱発泡材８が配置され、その機能を発揮できるようにしている。
【００４０】
前記ガイド部材７は、図２及び図３に示すように、前記スクリーン１０の両縁のたて辺１４をスライドさせる案内溝としてのスリット７０を備える略口状の形材で形成されている。
そして、前記ガイド部材７は、前記左ガイド枠３に沿うように長尺状に形成されていると共に、前記左ガイド枠３に固定されることなく独立した状態で、前記額縁２１上に位置する前記ガイド枠塞ぎ材３５に載置されている。
即ち、ガイド部材７は、前記左ガイド枠３の内部３０において、その周囲にクリアランスＣ（遊び／隙間）が形成されるように収容されている。
【００４１】
前記スクリーン１０は、防火性のもので、ガラスクロス若しくはシリカクロス、又はこれらのクロスに耐火塗料を塗布したもの、含浸させたものにより形成されている。
図３のように、このスクリーン１０のたて辺１４、１４には、抜止部１５、１５が取付けられ、前記ガイド部材７、７のスリット７０、７０を塞ぐように位置されている。
この抜止部１５、１５は、スクリーン１０が撓む力を受けた場合に、その両縁のたて辺１４、１４が、スリット７０、７０から抜け出ることを防ぐものであることから、スリット７０、７０より幅広に形成され、かつ、スクリーン１０のたて辺１４、１４の上下間において、複数個に形成される（それぞれ図示せず）。
【００４２】
前記スクリーン１０のボトム枠１２には、図１のようにラッチ１６が取付けられ、このラッチ１６が下枠５に係止されるようになっている。よって、スクリーン１０による開口部２の閉鎖状態を維持できるようになっている。
【００４３】
以上のように構成された防火用スクリーン１の組立手順は、次の通りである。
（イ）  収納ボックス６の取付け
まず、前記ベース材６１を開口部２の上部の額縁２１に固定する。
そのベース材６１に、予め前記加熱発泡材８を取付けた収納ボックス６の本体６０を係止させる。
次に、前記ベース材６１に本体６０をネジ止めする。
（ロ）  左右ガイド枠３、４の取付け
予め前記左右ガイド枠３、４（レールアタッチ３２、４２の取付け前）の前記各溝部３６０、４６０に前記加熱発泡材８を取付けると共に、前記ガイド枠塞ぎ材３５、４５と前記ガイド枠補強材３１、４１を前記内部３０、４０に挿入すると共に固定する。そして、ガイド枠補強材３１、４１を左右ガイド枠３、４に仮止め（図示なし）する。
その後、前記額縁２１、２１に、左右ガイド枠３、４をガイド枠補強材３１、４１と共にネジ止めし、前記スクリーン１０の抜止部１５、１５を前記ガイド部材７、７のスリット７０、７０にセットしつつ、前記ガイド部材７、７を前記左右ガイド枠３、４の空間Ｓ、Ｓに収容した後に、前記スクリーン１０のボトム枠１２を前記左右ガイド枠３、４の開口３００、４００にセットする。
その後、レールアタッチ３２、４２を前記レールアタッチ補強材３３、４３と共に、前記対向面３９、４９に固定する。
（ハ）  下枠５の取付け
予め前記溝部５４に前記加熱発泡材８を取付けた前記下枠５を前記左右ガイド枠３、４の下端間に配置し、前記下枠補強材５０と共に下部の額縁２１にネジ止めする。
なお、下枠５の部材長さは、図３のように左右ガイド枠３、４の下端間の寸法よりも若干短くなっている。
以上の手順で、防火用スクリーン１を現場で取付けるが、各枠と収容ボックスを接合可能な構成（図示せず）として、既に組立てた防火用スクリーン１を開口部２に固定してもよい。
【００４４】
以上の構成の防火用スクリーン１の作用効果は、次の通りである。
（１）  前記ガイド枠補強材３１、４１の各当接面３１０〜３１３及び支持面３１４並びに同４１０〜４１３及び支持面４１４が前記左右ガイド枠３、４をそれらの内部３０、４０から支えることにより、火災を原因とする変形に耐える剛性を前記左右ガイド枠３、４（特に背面３６、４６）に付与することができ、前記左右ガイド枠３、４の屋内外からの火炎の貫通を防ぐことができる。
（２）  前記レールアタッチ３２、３２及び同４２、４２は、前記対向面３９、３９及び同４９、４９を介して前記ガイド枠補強材３１、４１の当接面３１３、３１３及び同４１３、４１３に固定されているので、高熱で前記レールアタッチ３２、３２及び同４２、４２が脆くなっても、前記レールアタッチ３２、３２及び同４２、４２が外れにくくなっており、前記ガイド部材７、７の抜け出しを防ぐことができる。
（３）  前記レールアタッチ補強材３３、３３及び同レールアタッチ補強材４３、４３は、前記対向面３９、３９及び同４９、４９と、前記レールアタッチ３２、３２及び同４２、４２間に配置されることにより、左右ガイド枠３、４との固定力を強化して、前記レールアタッチ３２、３２及び同４２、４２の剛性を高めることができる。
よって、火災によりレールアタッチ３２、３２及び同レールアタッチ４２、４２が前記ガイド部材７、７の抜け止めの機能を喪失した場合になっても、前記レールアタッチ補強材３３、３３及び同４３、４３が、ガイド部材７、７の抜け出しを防止することができる。
（４）  前記ガイド枠塞ぎ材３５、４５により、前記左右ガイド枠３、４の剛性が高まると共に、前記額縁２１から前記左右ガイド枠３、４への燃え移りを防ぐことができる。
（５）  前記下枠補強材５０は、前記下枠５の剛性を高め、火災の際の火炎が前記下枠５に回ってきた場合にも、火炎の屋内外の貫通を防ぐことができるようになっている。
（６）  前記ベース材６１は、その材質をスチールとすると共に、肉厚に構成されており、前記収容ボックス６の剛性を強めるようになっている。
【００４５】
（７）  前記加熱発泡材８０は、前記ガイド枠塞ぎ材３５と共に、火災の際の前記左右ガイド枠３、４の開口端３４、４４からの火炎を前記左右ガイド枠３、４内に封じ込めることができる。
（８）  防火用スクリーン１の加熱発泡材８は、屋外側の左右ガイド枠３、４及び下枠５の前記各溝部３６０、４６０、５４に配置されているので、屋外側及び屋内側からの火炎に反応して膨張し、これらの形材と内周面２０との間に、たとえ隙間ができたとしても、その隙間を閉塞させることができ、火炎が屋内外に貫通することを防ぐことができる。
（９）  前記加熱発泡材８を収容している前記各溝部３６０、４６０、５４が、開口部２の内周面２０に塞がれることにより、前記加熱発泡材８は内周面２０と形材の間に納められ、接着剤等の経年劣化や、火災時の接着剤の溶融により、前記加熱発泡材８が前記溝部３６０、４６０、５４から剥離されても、その配置位置が保持されるようになっていて、前記加熱発泡材８がその機能を発揮できるようになっている。
前記収納ボックス６の前記加熱発泡材８においても、同様に作用する。
（１０）  防火用スクリーン１を構成する左右ガイド枠３、４及び下枠５は、形材の構成がコンパクトなことから火災時に温度上昇し易いので、前記加熱発泡材８の早めの膨張が期待できる。
（１１）  防火用スクリーン１は、建物開口部２に取付けられるサッシ（図示せず）の構成に関係することなく、屋内側（前記サッシの室内側）に取付けることができ、その際に、布状のスクリーン１０を収容するコンパクトな収容ボックス６により、前記開口部２の内側への取付けに適したものとなっている。
（１２）  ガイド部材７、７は、前記左右ガイド枠３、４内において、独立すると共に、ガイド部材７、７の周囲にクリアランスＣが形成されている。よって、ガイド部材７、７はその範囲で位置が変位可能となっており、スクリーン１０に外力が作用する場合に、柔軟に対処させることができ、スクリーン１０の操作性の向上につながる。
（１３）  また上記（１２）の構成及び作用により、建物開口部２がスクリーン１０により閉鎖されている状態で、スクリーン１０に外力、例えば、煙、火炎が作用して撓む場合に、その力を直接的にスクリーン１０の抜止部１５、１５に作用させることなく、スクリーン１０の破損等を防ぐことができる。
（１４）  クリアランスＣは、前記左右ガイド枠３、４とガイド部材７、７との間に断熱空間を形成することとなり、左右ガイド枠３、４の受ける熱が、直接的にスクリーン１０の抜止部１５、１５に影響しないようになっている。
（１５）  前記防火用スクリーン１は、建物開口部２の内周面２０の額縁２１に固定されているので、左右ガイド枠３、４、下枠５、収容ボックス６の露出面積を少なくでき、防火性を高めることができる。
（１６）  スクリーン１０の両端が前記ガイド部材７、７に収容され、その下端もボトム枠１２を介して下枠５に固定され、前記開口部２を閉鎖することができるので、延焼防止や、内部から外部への煙、火炎の吹き出しを防止することができる。
【００４６】
本発明は以上説明した実施形態に限定されるものではなく、多くの変形が本発明の技術的思想内で当分野において、通常の知識を有する者により可能である。
【符号の説明】
【００４７】
１  防火用スクリーン
１０  スクリーン                        １１  先端辺
１２  ボトム枠                          １３、１３  端部
１４、１４  たて辺                      １５、１５  抜止部
１６  ラッチ
２  開口部
２０  内周面                            ２１  額縁
３  左ガイド枠                          ４  右ガイド枠
３０、４０  内部                        ３１、４１  ガイド枠補強材
３２、４２  レールアタッチ              ３３、４３  レールアタッチ補強材
３４、４４  開口端                      ３５、４５  ガイド枠塞ぎ材
３６、４６  背面                        ３７、４７  外側面
３８、４８  内側面                      ３９、４９  対向面
３００、４００  開口
３１０〜３１３、４１０〜４１３  当接面
３１４、４１４  支持面
３４０、４４０  輪郭片                  ３４１、４４１  平面片
３４２、４４２  支持固定片
３６０、３６１、４６０、４６１  溝部
５  下枠                                ５０  下枠補強材
５１  背面                              ５２  開口
５３  凹部                              ５４、５５  溝部
６  収容ボックス
６０  本体
６１  ベース材（収容ボックス補強材）
６２  ドラム                            ６３  溝部
７、７  ガイド部材
７０、７０  スリット
８  ８０  加熱発泡材
９  隙間隠材
【図１】
2020037861.tif 000003
【図２】
2020037861.tif 000004
【図３】
2020037861.tif 000005
【図４】
2020037861.tif 000006
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
建物の開口部の内周面に取付けられる左右のガイド枠及び下枠と、前記左右ガイド枠に沿って巻取り及び巻戻しされるスクリーンと、このスクリーンを収容し、且つ、前記内周面に取付けられる収容ボックスを備える防火用スクリーンにおいて、
前記左右ガイド枠のそれぞれの長手方向に沿い、且つ、前記左右ガイド枠をそれらの内部から支えるガイド枠補強材がそれぞれ設けられており、
前記左右ガイド枠の下端の開口端をそれぞれ塞ぐガイド枠塞ぎ材が設けられており、
前記ガイド枠補強材には、前記ガイド枠塞ぎ材が連結されていることを特徴とする防火用スクリーン。
【請求項２】
前記ガイド枠塞ぎ材は、前記左右ガイド枠の開口端を塞ぐ平面片と、前記ガイド枠補強材を、支持及び固定する支持固定片とを備えることを特徴とする請求項１に記載の防火用スクリーン。
【請求項３】
前記左右ガイド枠及び前記下枠の少なくとも屋内外の何れか一方の側に、加熱発泡材を設けたことを特徴とする請求項１または２に記載の防火用スクリーン。
【請求項４】
前記ガイド枠補強材の内側に加熱発泡材を設けたことを特徴とする請求項１〜３の何れかに記載の防火用スクリーン。
【請求項５】
前記平面片には、ガイド部材が載置されていることを特徴とする請求項２に記載の防火用スクリーン。
【手続補正２】
【補正対象書類名】明細書
【補正対象項目名】０００６
【補正方法】変更
【補正の内容】
【０００６】
上記課題を解決するため、建物の開口部の内周面に取付けられる左右のガイド枠及び下枠と、前記左右ガイド枠に沿って巻取り及び巻戻しされるスクリーンと、このスクリーンを収容し、且つ、前記内周面に取付けられる収容ボックスを備える防火用スクリーンにおいて、前記左右ガイド枠のそれぞれの長手方向に沿って、且つ、前記左右ガイド枠をそれらの内部から支えるガイド枠補強材をそれぞれ設け、前記左右ガイド枠の下端の開口端をそれぞれ塞ぐガイド枠塞ぎ材が設けられており、前記ガイド枠補強材には、前記ガイド枠塞ぎ材が連結されていることを特徴とする防火用スクリーンとした（請求項１の発明）。
【手続補正３】
【補正対象書類名】明細書
【補正対象項目名】０００８
【補正方法】変更
【補正の内容】
【０００８】
前記防火用スクリーンにおいて、前記ガイド枠塞ぎ材は、前記左右ガイド枠の開口端を塞ぐ平面片と、前記ガイド枠補強材を、支持及び固定する支持固定片とを備えることを特徴とする防火用スクリーンとする（請求項２に記載の発明）。
【手続補正４】
【補正対象書類名】明細書
【補正対象項目名】０００９
【補正方法】変更
【補正の内容】
【０００９】
前記防火用スクリーンにおいて、前記左右ガイド枠及び前記下枠の少なくとも屋内外の何れか一方の側に、加熱発泡材を設けたことを特徴とする（請求項３に記載の発明）。
【手続補正５】
【補正対象書類名】明細書
【補正対象項目名】００１０
【補正方法】変更
【補正の内容】
【００１０】
前記防火用スクリーンにおいて、前記ガイド枠補強材の内側に加熱発泡材を設けたことを特徴とする（請求項４に記載の発明）。
【手続補正６】
【補正対象書類名】明細書
【補正対象項目名】００１１
【補正方法】変更
【補正の内容】
【００１１】
前記防火用スクリーンにおいて、前記平面片には、ガイド部材が載置されていることを特徴とする（請求項５に記載の発明）。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】